(57)【要約】【課題】電池の良し悪し及び実際の有効容量を判断且つ分析することができる電池容量分析機能が内蔵された充電装置を提供することにある。【解決手段】制御ユニットＣ、計算ユニットＤ、ディスプレイユニットＥ、充電ユニットＦ及び放電ユニットＧを含み、充電ユニットＧに電池Ｈを接続して充電を行うとき、制御ユニットＣは、電池の電力がいっぱいに充電されているか否かを判断し、いっぱいまで充電された後充電を停止し、同時に放電ユニットＧを介して電池の放電を行わせ、電池の電力が尽きた後放電を停止し、計算ユニットＤに電池の実際の有効容量を算出させ、同時に算出された実際の有効容量のデータをディスプレイユニットＥで表示した後、充電装置の電池容量分析及び充電を完了する。【選択図】図１
2008278744.tif 000002
【特許請求の範囲】
【請求項１】
制御ユニット、計算ユニット、ディスプレイユニット、充電ユニット及び放電ユニットを含んで構成され、前記充電ユニットに電池を接続して充電を行う場合、前記制御ユニットは、前記電池の電力がいっぱいに充電されているか否かを判断し、いっぱいまで充電されたと判断した場合、充電を停止し、前記放電ユニットを介して電池の放電を行わせ、前記電池の電力が尽きた後放電を停止させ、前記計算ユニットに電池の実際の有効容量を算出させ、算出された実際の有効容量のデータを前記ディスプレイユニットで表示した後、前記電池の容量分析及び充電を完了する、
ことを特徴とする、充電装置。
【請求項２】
前記ディスプレイユニットが、ＬＣＤ（液晶ディスプレイ）ディスプレイ装置、ＬＥＤ（発光ダイオード）ディスプレイ装置及び数字型発光ダイオード及び関連のデータ表示に供する装置とする、
ことを特徴とする請求項１に記載の充電装置。
【請求項３】
電池の充放電後、容量を記憶する機能を備えたメモリユニットを含む、
ことを特徴とする請求項１に記載の充電装置。
【請求項４】
前記放電ユニット内に設置される消耗負荷が抵抗、トランジスタ、ＭＯＳ、電子装置、ランプ、モーター等電力を消耗する負荷とする、
ことを特徴とする請求項１に記載の充電装置。
【請求項５】
前記制御ユニット及び前記計算ユニットの部材がさらに、関連回路の接続及び運用を効果的に向上するためモジュール及び集積回路（ＩＣ）として統合されているものである、
ことを特徴とする請求項１に記載の充電装置。
【発明の詳細な説明】
【技術分野】
【０００１】
本発明は、充電装置を利用して電池を接続し充電を行うとき、充電装置に内蔵された制御ユニットにより充電装置に接続された電池がいっぱいまで充電されているか否かを判断し、いっぱいまで充電された後、前記充電ユニットが電池に対する充電を停止し、同時に放電ユニットを介して電池に対し定電流放電を行い、且つ制御ユニットで制御し、電池の電力が尽きた後放電を停止する、電池容量分析機能を備えた充電装置に関する。
【背景技術】
【０００２】
一般に市場で使用されている充電設備Ａは、図６及び図７に示すように、電池Ａ１を接続して充電を行う機能を備えており、充電器Ａ２に電池Ａ１を接続して充電するとき、充電器Ａ２そのものの回路を通して電池Ａ１の破損や故障、老化などの状況や、蓄電ができないといった状態があるかを知ることはできない。
【発明の開示】
【発明が解決しようとする課題】
【０００３】
このため、電池Ａ１の機能に対して判断を行うとき、別途充電器Ａ２及び放電器Ａ３を接続し、同時に電池Ａ１の放電で消耗される総電力を再計算し、電池Ａ１の機能が正常であるか否かを判断する必要があるが、別途接続する充電器Ａ２及び放電器Ａ３は、使用上不便であるだけでなく、設置のための空間及びコストが増加するという問題がある。
【０００４】
そこで、本発明は、これに鑑みてなされたもので、その目的は、内蔵された電池容量分析ユニットにより、電池の良し悪し及び実際の有効容量を判断且つ分析することができる、電池容量分析機能を備えた充電装置を提供することにある。
【課題を解決するための手段】
【０００５】
請求項１に係る充電装置は、上記課題を解決するために、制御ユニット、計算ユニット、ディスプレイユニット、充電ユニット及び放電ユニットを含んで構成され、前記充電ユニットに電池を接続して充電を行う場合、前記制御ユニットは、前記電池の電力がいっぱいに充電されているか否かを判断し、いっぱいまで充電されたと判断した場合、充電を停止し、前記放電ユニットを介して電池の放電を行わせ、前記電池の電力が尽きた後放電を停止させ、前記計算ユニットに電池の実際の有効容量を算出させ、算出された実際の有効容量のデータを前記ディスプレイユニットで表示した後、前記電池の容量分析及び充電を完了することを特徴とする。
【０００６】
請求項２に係る充電装置は、請求項１に係る充電装置において、前記ディスプレイユニットが、ＬＣＤ（液晶ディスプレイ）ディスプレイ装置、ＬＥＤ（発光ダイオード）ディスプレイ装置及び数字型発光ダイオード及び関連のデータ表示に供する装置とすることを特徴とするものである。
【０００７】
請求項３に係る充電装置は、請求項１に係る充電装置において、電池の充放電後、容量を記憶する機能を備えたメモリユニットを含むことを特徴とするものである。
【０００８】
請求項４に係る充電装置は、請求項１に係る充電装置において、前記放電ユニット内に設置される消耗負荷が抵抗、トランジスタ、ＭＯＳ、電子装置、ランプ、モーター等電力を消耗する負荷とすることを特徴とするものである。
【０００９】
請求項５に係る充電装置は、請求項１係る充電装置おいて、前記制御ユニット及び前記計算ユニットの部材がさらに、関連回路の接続及び運用を効果的に向上するためモジュール及び集積回路（ＩＣ）として統合されているものであることを特徴とするものである。
【発明の効果】
【００１０】
本発明に係る充電装置によれば、内蔵された充電ユニット及び放電ユニット、制御ユニット及び計算ユニットを利用して電池の容量を判断し、且つ正確に算出することができる。また、電池の良し悪し及び実際の有効容量を判断且つ分析することができ、充放電測定機能を得るという目的を達することができる。電池容量分析ユニットを内蔵した充電装置は使用上より便利であり、且つ設置空間及びコスト増加の問題がない。
【発明を実施するための最良の形態】
【００１１】
以下、本発明の実施の形態を図面を参照して説明する。図１は本発明の第１実施形態に係る充電装置のブロック図であり、図２は第１実施形態の充電装置を示す斜視図である。本発明は、図２に示すように、箱体形状の筐体内部に電池容量分析機能を備えた内蔵型の充電装置Ｂを提供するものである。図１乃至図２に示すように、充電装置Ｂは制御ユニットＣ、計算ユニットＤ、ディスプレイユニットＥ、充電ユニットＦ及び放電ユニットＧを含む。
【００１２】
第１実施形態の充電装置Ｂは、内蔵された制御ユニットＣを含み、制御ユニットＣは充電ユニットＦ及び放電ユニットＧにそれぞれ制御可能に接続されている。また、図示されていないが制御ユニットＣに計算ユニットＤが制御可能に接続されている。なお、制御ユニットＣ及び計算ユニットＤは、さらに、関連回路の接続及び運用を効果的に向上するためモジュール及び集積回路（ＩＣ）として統合されているものであってもよい。放電ユニットＧには計算ユニットＤが接続され、さらに計算ユニットＤにはディスプレイユニットＥが接続されている。電池Ｈは、充電ユニットＦ及び放電ユニットＧに接続可能である。
【００１３】
充電ユニットＦに電池Ｈを接続して充電を行うとき、制御ユニットＣは、電池Ｈがいっぱいまで充電されているか否かを判断する。いっぱいまで充電されたと判断された場合、放電ユニットＧを介して電池Ｈに放電を行わせ、電池Ｈの電力が尽きた後、放電を停止させ、計算ユニットＤに対して電池Ｈが消耗した総電力を算出させる。
【００１４】
制御ユニットＣの計算ユニットＤは電池Ｈ及び放電ユニットＧ間で消耗された総電力を判断且つ算出することができ、同時に算出された総電力データをディスプレイユニットＥで表示した後、充電装置Ｂに接続された電池Ｈを充電し、充電装置Ｂに電池の容量分析及び充電を行わせるという目的を達することができる。
【００１５】
図３は本発明の第２実施形態に係る充電装置のブロック図である。第２実施形態の充電装置Ｂは、計算ユニットＤにメモリユニットＪが接続されている点のみが図１の第１実施形態と異なり、その他の構成は同様である。
【００１６】
充電ユニットＦに電池Ｈを接続して充電を行うとき、制御ユニットＣにより電池Ｈの電力がいっぱいまで充電されているか否かを判断し、いっぱいまで充電された後、同時に放電ユニットＧにより電池Ｈの放電を行い、電池Ｈの電力が尽きた後放電を停止し、制御ユニットＣが判断、及び計算ユニットＤにより電池Ｈが消耗した総電力を算出し、算出した総電力データをディスプレイユニットＥにより表示することができる。
【００１７】
充電装置Ｂはさらに電源導通ユニットＩ（図２参照）を含み、且つ電源導通ユニットＩは電池Ｈの導電端Ｈ１に対応し、電池容量分析機能を備えた充電装置Ｂに電池Ｈを接続して電池容量分析及び充電の機能を発揮させるという目的を達することができる。また、充電装置ＢはさらにメモリユニットＪを含み、電池Ｈの充放電後、容量を記憶する機能を発揮することができる。充電装置ＢのディスプレイユニットＥは、ＬＣＤ（液晶ディスプレイ）ディスプレイ装置Ｅ１、ＬＥＤ（発光ダイオード）ディスプレイ装置Ｅ２及び関連の電池の総電力データを表示できる装置とすることができる。
【００１８】
図４は制御ユニットに接続された充電ユニット及び放電ユニットを示す回路図である。また、図５は図４の回路部分の機能ブロック図である。図４及び図５に示すように、前記制御ユニットＣのＶｏ（Ｃ１）ピンの出力は１Ｖであり、放電電流は１Ａであり、Ｖｏ（Ｃ１）電位がＲ２（Ｃ２）、Ｒ３（Ｃ３）の分圧を経た後ＶＴ（Ｃ４）＝１０ｍＶとなり、このときＲ１（Ｃ５）を流れる電流が０.５Ａであると仮定すると、ＶＣ（Ｃ６）＝５ｍＶであり、ＶＴ（Ｃ４）とＶＣ（Ｃ６）はＯＰ（Ｃ７）の比較後Ｌｏとして出力され、Ｑ１（Ｃ８）がオフの状態を呈し、Ｑ１（Ｃ８）がオフの状態になると同時にＭＯＳ１（Ｃ９）、ＭＯＳ２（Ｃ１０）がオンとなり、放電される電流が迅速に上昇し、電流が１.１Ａまで上昇するとＶＣＣ（Ｃ１１）が１１ｍＶとなり、ＯＰ（Ｃ７）が隨時ＶＣ（Ｃ６）とＶＴ（Ｃ４）の電圧値を比較増幅しているため、ＯＰ（Ｃ７）の出力がＨｉとなり、Ｑ１（Ｃ８）がオンになって、ＭＯＳ１（Ｃ９）、ＭＯＳ２（Ｃ１０）が同時にオフとなり、放電電流が迅速に低下する。
【００１９】
電流が０.９Ａまで低下したときＶＣ（Ｃ６）＝９ｍＶとなり、またＯＰ（Ｃ７）の出力がＬＯとなり、Ｑ１（Ｃ８）がオフとなり、ＭＯＳ１（Ｃ９）、ＭＯＳ２（Ｃ１０）がオンとなって電流がまた上昇し、ＯＰ（Ｃ７）が隨時比較を行っているため、Ｑ１（Ｃ８）も絶え間なくオン、オフが繰り返され、ＭＯＳ１（Ｃ９）、ＭＯＳ２（Ｃ１０）も絶え間なくオン、オフが繰り返されて、放電電流に一定の定電流を形成させ、制御ユニットＣの設定とし、電池Ｈがある電圧値まで放電されると放電を停止させ、同時に放電時間を記録し、放電時間に放電電流を乗じて前記電池Ｈの実際の有効容量を得ることができる。算出された実際の有効容量のデータをディスプレイユニットＥで表示した後、電池Ｈの容量分析及び充電を完了する。
【図面の簡単な説明】
【００２０】
【図１】本発明の第１実施形態に係る充電装置のブロック図である。
【図２】第１実施形態の充電装置を示す斜視図である。
【図３】本発明の第２実施形態に係る充電装置のブロック図である。
【図４】制御ユニットに接続された充電ユニット及び放電ユニットを示す回路図である。
【図５】図４の回路部分の機能ブロック図である。
【図６】従来の充電設備を示すブロック図である。
【図７】従来の充電設備を示す斜視図である。
【符号の説明】
【００２１】
Ａ  充電設備
Ａ１  電池
Ａ２  充電器
Ａ３  放電器
Ｂ  充電装置
Ｃ  制御ユニット
Ｃ１  Ｖｏ
Ｃ２  Ｒ２
Ｃ３  Ｒ３
Ｃ４  ＶＴ
Ｃ５  Ｒ１
Ｃ６  ＶＣ
Ｃ７  ＯＰ
Ｃ８  Ｑ１
Ｃ９  ＭＯＳ１
Ｃ１０  ＭＯＳ２
Ｃ１１  ＶＣＣ
Ｄ  計算ユニット
Ｄ１  導電部
Ｅ  ディスプレイユニット
Ｅ１  ＬＣＤディスプレイ装置
Ｅ２  ＬＥＤディスプレイ装置
Ｆ  充電ユニット
Ｇ  放電ユニット
Ｈ  電池
Ｈ１  導電端
Ｉ  電源導通ユニット
Ｊ  メモリユニット
【図１】
2008278744.tif 000003
【図２】
2008278744.tif 000004
【図３】
2008278744.tif 000005
【図４】
2008278744.tif 000006
【図５】
2008278744.tif 000007
【図６】
2008278744.tif 000008
【図７】
2008278744.tif 000009